(57)【要約】【課題】複数のバリヤ羽根を含むレンズバリヤ装置において、バリヤ羽根同士に段差が生じるのを防止する。【解決手段】ベース１０に対して揺動自在に設けられ協働して開口部を開閉する複数のバリヤ羽根２０，３０、複数のバリヤ羽根を開閉駆動する駆動リング４０等を備え、複数のバリヤ羽根２０，３０は、同一面上において揺動自在に設けられると共に、その揺動方向において嵌合し得る嵌合凸部２５，３５及び嵌合凹部２６，３６を有し、閉じ動作のとき、一つのバリヤ羽根２０の嵌合凸部２５及び嵌合凹部２６は、他のバリヤ羽根３０の嵌合凹部３６及び嵌合凸部３５にそれぞれ嵌合するように形成されている。これにより、段差を生じることなく、見栄えの良い外観が得られる。【選択図】  図５ 
2005106934.tif 000002
【特許請求の範囲】
【請求項１】
開口部を画定するベースと、前記ベースに対して揺動自在に設けられ協働して前記開口部を開閉する複数のバリヤ羽根と、前記複数のバリヤ羽根を開閉駆動する駆動機構と、を備え、
前記複数のバリヤ羽根の各々は、同一面上において揺動自在に設けられると共に、その揺動方向において嵌合し得る嵌合凸部及び嵌合凹部を有し、閉じ動作のとき、一つのバリヤ羽根の嵌合凸部及び嵌合凹部は、他のバリヤ羽根の嵌合凹部及び嵌合凸部にそれぞれ嵌合するように形成されている、
ことを特徴とするレンズバリヤ装置。
【請求項２】
前記複数のバリヤ羽根の各々は、その揺動方向において当接し得る当接端面と、揺動方向に略垂直な方向において接触又は非接触にてお互いに対向するべく前記当接端面に連続して形成された対向面と、を有する、
ことを特徴とする請求項１に記載のレンズバリヤ装置。
【請求項３】
前記複数のバリヤ羽根は、前記嵌合凸部及び嵌合凹部をそれぞれ有する第１バリヤ羽根及び第２バリヤ羽根、を含む、
ことを特徴とする請求項１又は２に記載のレンズバリヤ装置。
【請求項４】
前記嵌合凸部及び嵌合凹部の一方は、前記第１バリヤ羽根及び第２バリヤ羽根の先端寄りに設けられ、
前記嵌合凸部及び嵌合凹部の他方は、前記第１バリヤ羽根及び第２バリヤ羽根の揺動支軸寄りに設けられている、
ことを特徴とする請求項３に記載のレンズバリヤ装置。
【請求項５】
前記ベースは、前記複数のバリヤ羽根を摺動自在に案内する案内路、を有する、
ことを特徴とする請求項１ないし４いずれかに記載のレンズバリヤ装置。
【請求項６】
前記ベースには、開口部を画定すると共に、前記複数のバリヤ羽根を覆うように連結されるカバーが設けられている、
ことを特徴とする請求項１ないし５いずれかに記載のレンズバリヤ装置。
【請求項７】
前記複数のバリヤ羽根は、樹脂材料により形成されている、
ことを特徴とする請求項１ないし６いずれかに記載のレンズバリヤ装置。
【発明の詳細な説明】
【技術分野】
【０００１】
本発明は、デジタルスチルカメラ、デジタルビデオカメラ等のカメラのレンズを保護するレンズバリヤ装置に関し、特に、複数枚のバリヤ羽根を用いて、開口部を開閉するレンズバリヤ装置に関する。
【背景技術】
【０００２】
カメラの前面を開閉する従来のレンズバリヤ装置としては、開口部を有するバリヤ基板、バリヤ基板に揺動自在に設けられ、かつ、揺動支点の反対側の先端部領域において揺動方向に延出する延出片をそれぞれ有する一対のバリヤ羽根等を備えたものが知られている。
この装置においては、一対のバリヤ羽根が開閉動作を行なう全行程域において常に、一方のバリヤ羽根の延出片が他方のバリヤ羽根にオーバラップし、かつ、他方のバリヤ羽根の延出片が一方のバリヤ羽根にオーバラップするように形成されている（例えば、特許文献１参照）。
【特許文献１】特開２０００−２３１１３７号公報
【発明の開示】
【発明が解決しようとする課題】
【０００３】
ところで、上記従来のレンズバリヤ装置においては、バリヤ羽根同士が常にオーバラップするように形成されているため、バリヤ羽根の縁部に段差が生じ、外観上見栄えが悪く、又、バリヤ羽根をレンズの光軸方向に重ね合わせて配置しているため、装置が光軸方向において厚くなり、特に樹脂材料等により形成したバリヤ羽根を用いた場合、レンズバリヤ装置の薄型化を図るのは困難である。
【０００４】
一方、一対のバリヤ羽根を羽根室内の同一面上に配置し、段差を生じないように羽根室の隙間公差を小さくし、それぞれの部品の寸法精度を高めると、コストアップになると共に、バリヤ羽根の摺動抵抗が増加して円滑な開閉動作が得られなくなる。
【０００５】
本発明は、上記の事情に鑑みて成されたものであり、その目的とするところは、開口部を開閉するための複数のバリヤ羽根を用いるレンズバリヤ装置において、薄型化、小型化、低コスト化等を図りつつ、バリヤ羽根同士の段差を無くして見栄えの良い外観で、円滑な開閉動作が得られるレンズバリヤ装置を提供することにある。
【課題を解決するための手段】
【０００６】
本発明のレンズバリヤ装置は、開口部を画定するベースと、ベースに対して揺動自在に設けられ協働して開口部を開閉する複数のバリヤ羽根と、複数のバリヤ羽根を開閉駆動する駆動機構とを備え、上記複数のバリヤ羽根の各々は、同一面上において揺動自在に設けられると共に、その揺動方向において嵌合し得る嵌合凸部及び嵌合凹部を有し、閉じ動作のとき、一つのバリヤ羽根の嵌合凸部及び嵌合凹部は、他のバリヤ羽根の嵌合凹部及び嵌合凸部にそれぞれ嵌合するように形成されている、ことを特徴としている。
この構成によれば、駆動機構により、複数のバリヤ羽根が協働して開口部を閉じるように作動するとき、各々のバリヤ羽根は、一つのバリヤ羽根の嵌合凸部及び嵌合凹部が、他のバリヤ羽根の嵌合凹部及び嵌合凸部と嵌合する。これにより、複数のバリヤ羽根同士は、段差を生じることなく、同一平面上において開口部を閉じた状態となる。したがって、装置の薄型化を達成しつつ、円滑な開閉動作が得られ、しかも見栄えの良い外観が得られるレンズバリヤ装置が提供される。
【０００７】
上記構成において、複数のバリヤ羽根は、その揺動方向において当接し得る当接端面と、揺動方向に略垂直な方向において接触又は非接触にてお互いに対向するべく当接端面に連続して形成された対向面と、を有する構成を採用することができる。
この構成によれば、複数のバリヤ羽根が開口部を閉じた位置にあるとき、当接端面同士が揺動方向において当接すると同時に、対向面同士が揺動方向に略垂直な方向（例えば、レンズの光軸方向）において接触又は非接触の状態で重なり合っているため、外光あるいは塵等が侵入するのを確実に遮断することができる。
ここで、対向面同士が非接触の状態で対向するときは、バリヤ羽根同士は嵌合凸部と嵌合凹部だけで位置決めが行なわれ、一方、対向面同士が接触した状態で対向するときは、バリヤ羽根同士は、嵌合凸部と嵌合凹部による位置決めだけでなく、対向面同士による位置決めも行なわれるため、バリヤ羽根同士の段差は確実に防止される。
【０００８】
上記構成において、複数のバリヤ羽根は、嵌合凸部及び嵌合凹部をそれぞれ有する第１バリヤ羽根及び第２バリヤ羽根を含む、構成を採用することをできる。
この構成によれば、駆動機構が開閉駆動を行なうと、第１バリヤ羽根と第２バリヤ羽根は、お互いに離れて開口部を開き、一方、お互いに近づいて同一面上で接合して開口部を閉じる。このように、二つのバリヤ羽根を採用することで、構造を簡略化しつつも、開口部の開閉を確実に行なうことができる。
【０００９】
上記構成において、嵌合凸部及び嵌合凹部の一方は、第１バリヤ羽根及び第２バリヤ羽根の先端寄りに設けられ、嵌合凸部及び嵌合凹部の他方は、第１バリヤ羽根及び第２バリヤ羽根の揺動支軸寄りに設けられている、構成を採用することができる。
この構成によれば、閉じ動作において、第１バリヤ羽根の先端近傍が第２バリヤ羽根の揺動支軸近傍に嵌合し、又、第２バリヤ羽根の先端近傍が第１バリヤ羽根の揺動支軸近傍に嵌合するため、段差を生じ易いバリヤ羽根の先端側が他のバリヤ羽根により確実に位置決めされて、段差が生じるのをより確実に防止することができる。
【００１０】
上記構成において、ベースは、複数のバリヤ羽根を摺動自在に案内する案内路を有する、構成を採用することができる。
この構成によれば、複数のバリヤ羽根が開き動作及び閉じ動作を行なう際に、案内路がそれぞれのバリヤ羽根を支持して案内するため、嵌合凸部と嵌合凹部との嵌合動作もより円滑に行なわれる。
【００１１】
上記構成において、ベースには、開口部を画定すると共に、複数のバリヤ羽根を覆うように連結されるカバーが設けられている、構成を採用することができる。
この構成によれば、ベースと協働して羽根室を画定するカバーを設けるにあたって、羽根室の寸法を高精度に管理する必要がなく、装置を低コスト化できる。
【００１２】
上記構成において、複数のバリヤ羽根は、樹脂材料により形成されている、構成を採用することができる。
この構成によれば、バリヤ羽根を樹脂材料により形成することで若干肉厚になっても、バリヤ羽根同士は重ね合わせるのではなく同一平面上に配置されるため、装置全体として薄型化でき、又、装置を低コスト化できる。
【発明の効果】
【００１３】
上記のように、本発明のレンズバリヤ装置によれば、ベースに対して揺動自在に設けられ協働して開口部を開閉する複数のバリヤ羽根を、同一面上において揺動自在に設けると共に、複数のバリヤ羽根の各々に対して、その揺動方向において嵌合し得る嵌合凸部及び嵌合凹部を設け、閉じ動作のとき、一つのバリヤ羽根の嵌合凸部及び嵌合凹部が、他のバリヤ羽根の嵌合凹部及び嵌合凸部にそれぞれ嵌合するように形成したことにより、複数のバリヤ羽根同士は、段差を生じることなく、同一平面上において開口部を閉じることができる。これにより、薄型化を図りつつも、円滑な開閉動作が得られ、見栄えの良い外観が得られるレンズバリヤ装置を提供することができる。
【発明を実施するための最良の形態】
【００１４】
以下、本発明の最良の実施形態について、添付図面を参照しつつ説明する。
図１ないし図１２は、本発明に係るレンズバリヤ装置の一実施形態を示すものであり、図１は装置の外観斜視図、図２は装置の分解斜視図、図３はベースを示す斜視図、図４は駆動機構の一部をなす駆動リングを示す斜視図、図５ないし図７はバリヤ羽根を示す斜視図及び断面図、図８は装置の一部断面図、図９及び図１０はバリヤ羽根が開口部を開いた状態を示す平面図、図１１及び図１２はバリヤ羽根が開口部を閉じた状態を示す平面図である。
【００１５】
このレンズバリヤ装置は、図１及び図２に示すように、開口部１０ａを画定するベース１０、ベース１０に対して揺動自在に設けられた複数のバリヤ羽根としての第１バリヤ羽根２０及び第２バリヤ羽根３０、バリヤ羽根２０，３０を開閉駆動する駆動機構としての駆動リング４０、バリヤ羽根２０，３０を覆うようにベース１０に連結されると共に開口部５０ａを画定するカバー５０、バリヤ羽根２０，３０を閉じ方向に付勢する２つのバネ６０、バリヤ羽根２０，３０を開く方向に駆動するように駆動リング４０を付勢するバネ７０等を備えている。
【００１６】
ベース１０は、樹脂材料を用いて、図２及び図３に示すように、円形状の開口部１０ａを画定するように環状に形成されており、その前面において、開口部１０ａの内周面を画定すると共に光軸方向Ｌの前方に向けて突出する円筒部１１、バリヤ羽根２０，３０を摺動自在に案内する円弧状の案内路１２、バリヤ羽根２０，３０を揺動自在に支持する支軸１３、円筒部１１の外周面から径方向外側に突出して形成された４つの規制片１１ａ、ベース１０を貫通する貫通孔１４、貫通孔１４の縁部近傍において光軸方向Ｌの前方に向けて突出しかつ貫通孔１４側に張り出すように形成された規制片１５、バリヤ羽根２０，３０を付勢するバネ６０の一端６１を掛止する２つの掛止突起１６、駆動リング４０を一方向に付勢するバネ７０の一端７１を掛止する掛止突起１７、カバー５０を位置決めするためのピン１８ａ、レンズ鏡筒等への取り付けの際に用いる孔１８ｂ、カバー５０をスナップフィットにより連結するための４つの突起１９等を備えている。
【００１７】
駆動機構としての駆動リング４０は、樹脂材料により形成されており、図２及び図４に示すように、環状部４１、環状部４１から光軸方向Ｌの後方に向けて突出するカム部４２、環状部４１から径方向外側に突出する２つの係合片４３ａ，４３ｂ、バネ７０の他端７２を掛止する掛止片４４、ベース１０への組付け時に規制片１１ａを通す切り欠き部４５、規制片１１ａにより抜け落ちが規制される４つの被規制部４６、規制片１５により抜け落ちが規制される被規制片４７等を備えている。
【００１８】
カム部４２は、図４に示すように、その先端側にカム面４２ａを有する。そして、このレンズバリヤ装置が、例えば、カメラのレンズ鏡筒の先端に取り付けられた場合、レンズ鏡筒の沈胴動作に伴なって、カメラ側に設けられた係合突起Ｐがカム面４２ａに係合することで、矢印Ｒ１方向に付勢するバネ７０の付勢力に抗して、駆動リング４０を矢印Ｒ２方向に回転させるようになっている。
【００１９】
第１バリヤ羽根２０は、樹脂材料により薄板状に形成されており、図５ないし図７に示すように、ベース１０の支軸１３が通される円筒部２１、円筒部２１の近傍において円柱状に形成され駆動リング４０の係合片４３ａが係合する被係合部２２、直線状をなす当接端面２３、当接端面２３と垂直な方向（光軸方向Ｌ）に面をもつように連続して形成された対向面２４、先端寄りに形成された嵌合凸部２５、支軸１３に支持される円筒部２１寄り（すなわち、揺動支軸寄り）に形成された嵌合凹部２６、ベース１０の案内路１２上を摺動する摺動片２７等を備えている。
【００２０】
第２バリヤ羽根３０は、樹脂材料により薄板状に形成されており、図５ないし図７に示すように、ベース１０の支軸１３が通される円筒部３１、円筒部３１の近傍において円柱状に形成され駆動リング４０の係合片４３ｂが係合する被係合部３２、直線状をなす当接端面３３、当接端面３３と垂直な方向（光軸方向Ｌ）に面をもつように連続して形成された対向面３４、先端寄りに形成された嵌合凸部３５、支軸１３に支持される円筒部３１寄り（すなわち、揺動支軸寄り）に形成された嵌合凹部３６、ベース１０の案内路１２上を摺動する摺動片３７等を備えている。
【００２１】
ここで、図６に示すように、第１バリヤ羽根２０と第２バリヤ羽根３０とが、お互いに近づいて接合し開口部１０ａ，５０ａを閉じるとき、第１バリヤ羽根２０の嵌合凸部２５は、第２バリヤ羽根３０の嵌合凹部３６に嵌合し、第２バリヤ羽根３０の嵌合凸部３５は、第１バリヤ羽根２０の嵌合凹部２６に嵌合する。
【００２２】
また、図７（ａ）に示すように、第１バリヤ羽根２０の当接端面２３は、揺動方向において、第２バリヤ羽根３０の当接端面３３と当接し、又、第１バリヤ羽根２０の対向面２４は、揺動方向に垂直な光軸方向Ｌにおいて、第２バリヤ羽根３０の対向面３４と接触した状態で対向する。
したがって、第１バリヤ羽根２０と第２バリヤ羽根３０とは、閉じ動作において、嵌合凸部２５，３５及び嵌合凹部２６，３６の嵌合による位置決めだけでなく、対向面２４と対向面３４との接触による位置決めも加わって、光軸方向Ｌにおいて段差を生じないように面一に確実に位置決めされると同時に、開口部１０ａ，５０ａが確実に遮蔽されて、外部から光又は塵等が侵入するのを防止できる。
【００２３】
尚、図７（ｂ）に示すように、第１バリヤ羽根２０の対向面２４´は、揺動方向に垂直な光軸方向Ｌにおいて、第２バリヤ羽根３０の対向面３４´と非接触の状態で対向するように形成されてもよい。この場合も同様に、当接端面２３，３３同士が当接しているため、開口部が確実に遮蔽されて、外部から光又は塵等が侵入するのを防止できる。
【００２４】
カバー５０は、図１及び図２に示すように、樹脂材料により円板状に形成されており、その中央部に略矩形状の開口部５０ａ、外周縁から光軸方向Ｌの後方に向けて延出しベース１０の突起１９にスナップフィットされる掛止片５１、ベース１０のピン１８ａを通す２つの位置決め孔５２、ベース１０の孔１８ｂに対応する２つの円孔５３、支軸１３の先端小径部１３ａが嵌合される２つの円孔５４等を備えている。尚、カバー５０は、ベース１０と協働してバリヤ羽根２０，３０を収容する羽根室を画定する。
【００２５】
バネ６０は、図２及び図８（ａ）に示すように、捩り式のバネであり、円筒部２１，３１の周りに配置され、その一端６１がベース１０の掛止突起１６に掛止され、その他端６２がバリヤ羽根２０，３０の被係合部２２，３２に対して、係合片４３ａ，４３ｂと反対の側から掛止されている。これにより、バネ６０は、第１バリヤ羽根２０及び第２バリヤ羽根３０を閉じ方向に向けて常時付勢している。
【００２６】
次に、この装置の組付け手順について説明する。先ず、ベース１０に対して、図２に示すように、光軸方向Ｌの前方から駆動リング４０を近づけ、駆動リング４０の内側に円筒部１１を入り込ませ、切り欠き部４５にベース１０の規制片１１ａを入り込ませ、さらに、カム部４２をベース１０の貫通孔１４に通す。
【００２７】
そして、駆動リング４０がベース１０の摺動面１０ｂに当接した時点で、駆動リング４０を所定角度だけ時計回り（矢印Ｒ２方向）に回転させると、図８（ｂ）に示すように、ベース１０の規制片１１ａ、１５が、駆動リング４０の被規制部４６及び被規制片４７に摺動自在に係合して、駆動リング４０が光軸方向Ｌの前方に向けて抜け落ちるのを規制する。
【００２８】
ここでは、カム部４２の近傍において、駆動リング４０を受ける規制片１１ａ，１５が設けられているため、カム部４２に光軸方向Ｌの前方に向かう押圧荷重が作用しても、駆動リング４０は変形することなく、ベース１０に対して円滑に回動し得るように保持される。
【００２９】
続いて、円筒部２１，３１の外周にバネ６０を外嵌させた状態で、光軸方向Ｌの前方からバリヤ羽根２０，３０をベース１０に近づけて、円筒部２１，３１にベース１０の支軸１３を通すと共に、バネ６０の一端６１を掛止突起１６に掛止させ、他端６２を被係合部２２，３２に掛止させる。また、バネ７０の一端７１をベース１０の掛止突起１７に掛止させ、他端７２を駆動リング４０の掛止片４４に掛止させる。
【００３０】
その後、カバー５０を光軸方向Ｌの前方からベース１０に近づけて、円孔５２，５４に支軸１３の先端小径部１３ａ及びピン１８ａを通すと共に、掛止片５１を突起１９に掛止させてスナップフィットにより連結する。これにより、図１に示すようなレンズバリヤ装置の組付けが完了する。
【００３１】
次に、この装置の動作について、図９ないし図１２を参照しつつ説明する。尚、説明の便宜上、図９及び図１１ではカバー５０が省略され（開口部５０ａのみ二点鎖線で示され）、図１０及び図１２ではカバー５０が省略され（開口部５０ａのみ二点鎖線で示され）又バリヤ羽根２０，３０等が二点鎖線で示されている。
【００３２】
先ず、駆動リング４０のカム部４２が、カメラ側の係合突起Ｐ等から押圧力を受けない状態においては、駆動リング４０はバネ７０により付勢されて反時計回りの回転端に位置する。このとき、図９及び図１０に示すように、第１バリヤ羽根２０及び第２バリヤ羽根３０は、その被係合部２２，３２が、バネ６０の付勢力に抗しつつ、駆動リング４０の係合片４３ａ，４３ｂにより押されて、カバー５０の開口部５０ａを全開する開き位置に位置している。
【００３３】
この状態から、駆動リング４０のカム部４２がカメラ側の係合突起Ｐ等により押圧力を受けて、駆動リング４０がバネ７０の付勢力に抗しつつ、所定角度だけ時計回りに回転すると、駆動リング４０の係合片４３ａ，４３ｂは、バリヤ羽根２０，３０の被係合部２２，３２から後退すると同時に、バネ６０の付勢力により、第１バリヤ羽根２０及び第２バリヤ羽根３０は反時計回りに回転して閉じ動作を行なう。
この閉じ動作において、バリヤ羽根２０，３０は、それぞれの摺動片２７，３７が案内路１２に沿って案内されるため、光軸方向Ｌにガタツキ等を生じることはない。その結果、閉じ動作が円滑にかつ安定して行なわれる。
【００３４】
そして、図１１及び図１２に示すように、第１バリヤ羽根２０の嵌合凸部２５が第２バリヤ羽根３０の嵌合凹部３６に嵌合し、第２バリヤ羽根３０の嵌合凸部３５が第１バリヤ羽根２０の嵌合凹部２６に嵌合し、さらに、第１バリヤ羽根２０の当接端面２３が第２バリヤ羽根３０の当接端面３３に当接し、第１バリヤ羽根２０の対向面２４が第２バリヤ羽根３０の対向面３４と接触した状態で対向する。
【００３５】
このように、嵌合凸部２５，３５が嵌合凹部２６，３６にそれぞれ勘合することで、第１バリヤ羽根２０と第２バリヤ羽根３０とは、光軸方向Ｌにおいて段差を生じることなく面一に位置決めされて開口部５０ａを閉じた状態となり、見栄えの良い外観が得られる。
また、当接端面２３，３３同士が当接して確実に遮蔽し、しかも対向面２４，３４同士が当接端面２３，３３と垂直な光軸方向Ｌにおいて対向するため、外部からの光あるいは塵等の侵入が確実に防止される。
【００３６】
特に、バリヤ羽根２０，３０は、それぞれ先端側に嵌合凸部２５，３５、揺動支軸（支軸１３及び円筒部２１，３１）寄りに嵌合凹部２６，３６を有し、バリヤ羽根２０，３０の先端近傍がバリヤ羽根３０，２０の揺動支軸近傍に嵌合するようになっているため、段差を生じ易い先端側が他のバリヤ羽根により確実に位置決めされて、段差の発生がより確実に防止される。
【００３７】
上記のように、この装置によれば、複数のバリヤ羽根２０，３０が光軸方向Ｌに重ねられるのではなく、同一平面上に配置されるため、光軸方向Ｌにおいて装置を薄型化できると共に、複数のバリヤ羽根２０，３０が面一に位置決めされるため、段差防止のために各々の部品の寸法公差等を高精度に管理する必要がなく、装置のコストを低減することができる。
【００３８】
上記実施形態においては、複数のバリヤ羽根として二枚のバリヤ羽根２０，３０を示したが、これに限定されるものではなく、嵌合凸部及び嵌合凹部を設けることができる限り、３枚以上のバリヤ羽根において本発明の構成を採用してもよい。
上記実施形態においては、駆動機構として、カメラ側の係合突起Ｐ等により押圧力を受けカム作用により回転する駆動リング４０を示したが、これに限定されるものではなく、手動にて回転させられる駆動リング、あるいはその他の駆動機構等を備える構成において、本発明の構成を採用してもよい。
【００３９】
上記実施形態においては、バリヤ羽根２０，３０の先端寄りに嵌合凸部２５，３５を設け、バリヤ羽根２０，３０の揺動支軸寄りに嵌合凹部２６，３６を設けた構成を示したが、これに限定されるものではなく、バリヤ羽根２０，３０の先端寄りに嵌合凹部を設け、バリヤ羽根２０，３０の揺動支軸寄りに嵌合凸部を設けた構成を採用してもよい。
【産業上の利用可能性】
【００４０】
以上述べたように、本発明に係るレンズバリヤ装置は、レンズの前面に配置されてレンズを保護するものであれば、沈胴式のレンズ鏡筒を備えるカメラに限らず、その他のデジタルスチルカメラ、デジタルビデオカメラ、銀塩フィルム式カメラ等においても使用することができる。
【図面の簡単な説明】
【００４１】
【図１】本発明に係るレンズバリヤ装置の一実施形態を示す外観斜視図である。
【図２】図１に示すレンズバリヤ装置の分解斜視図である。
【図３】レンズバリヤ装置の一部をなすベースを示す斜視図である。
【図４】レンズバリヤ装置の一部をなす駆動機構としての駆動リングを示す斜視図である。
【図５】２つのバリヤ羽根がお互いに離れて、開口部を開いた状態を示す斜視図である。
【図６】２つのバリヤ羽根がお互いに近づいて、開口部を閉じた状態を示す斜視図である。
【図７】閉じた状態における２つのバリヤ羽根の関係を示すものであり、（ａ）はそれぞれの当接端面及び対向面を示す断面図、（ｂ）は当接端面及び対向面の他の実施形態を示す断面図である。
【図８】レンズバリヤ装置を構成するベース、駆動リング、バリヤ羽根、カバー等の関係を示すものであり、（ａ）は支軸の近傍を示す断面図、（ｂ）はカム部の近傍を示す断面図である。
【図９】２つのバリヤ羽根が開口部を開いた状態を示す平面図である。
【図１０】２つのバリヤ羽根が開口部を開いた状態を示す平面図である。
【図１１】２つのバリヤ羽根が開口部を閉じた状態を示す平面図である。
【図１２】２つのバリヤ羽根が開口部を閉じた状態を示す平面図である。
【符号の説明】
【００４２】
１０  ベース
１０ａ  開口部
１２  案内路
１３  支軸
２０  第１バリヤ羽根
２１  円筒部
２２  被係合部
２３  当接端面
２４，２４´  対向面
２５  嵌合凸部
２６  嵌合凹部
２７  摺動片
３０  第２バリヤ羽根
３１  円筒部
３２  被係合部
３３  当接端面
３４，３４´  対向面
３５  嵌合凸部
３６  嵌合凹部
３７  摺動片
４０  駆動リング（駆動機構）
４１  環状部
４２  カム部
５０  カバー
５０ａ  開口部
６０，７０  バネ
【図１】
2005106934.tif 000003
【図２】
2005106934.tif 000004
【図３】
2005106934.tif 000005
【図４】
2005106934.tif 000006
【図５】
2005106934.tif 000007
【図６】
2005106934.tif 000008
【図７】
2005106934.tif 000009
【図８】
2005106934.tif 000010
【図９】
2005106934.tif 000011
【図１０】
2005106934.tif 000012
【図１１】
2005106934.tif 000013
【図１２】
2005106934.tif 000014